(57)【要約】【課題】  下枠下面に木ネジ、飾りを取り付けずに、職人技のような「スッキリ」した照明器具を、職人技でなく工業的生産で提供できるようにする。【解決手段】  隅角部に貫通孔を持ち下面にパネル溝を持つ上枠と、上面にパネル溝を持ち、隅角部の上面に凹所を持つ下枠と、該凹所内にネジで取り付けられて中央に取付孔を持つ取付部材と、該取付部材の上で前記上枠，下枠との間に介在され、上下に貫通する貫通孔および側面にパネル溝を持つ柱と、前記上枠，下枠および柱に挟まれて、各々のパネル溝に介在されたパネルと、前記上枠および柱の貫通孔を上から下へ通って、前記取付部材のネジ孔にねじ込まれ、上端に頭を持つ頭付きネジ棒とを含む。頭付きネジ棒に代えて、上端にネジを持つネジ棒と、該ネジ棒の上端のネジにねじ込まれたナット部材が使用される。【選択図】        図２
2008258074.tif 000002
【特許請求の範囲】
【請求項１】
隅角部に貫通孔を持ち下面にパネル溝を持つ上枠と、上面にパネル溝を持ち、隅角部の上面に凹所を持つ下枠と、
該凹所内にネジで取り付けられて中央に取付孔を持つ取付部材と、該取付部材の上で前記上枠，下枠との間に介在され、上下に貫通する貫通孔および側面にパネル溝を持つ柱と、前記上枠，下枠および柱に挟まれて、各々のパネル溝に介在されたパネルと、
前記上枠および柱の貫通孔を上から下へ通って、前記取付部材のネジ孔にねじ込まれ、上端に頭を持つ頭付きネジ棒とを含むことを特徴とする和風照明器具。
【請求項２】
隅角部に貫通孔を持ち下面にパネル溝を持つ上枠と、上面にパネル溝を持ち、隅角部の上面に凹所を持つ下枠と、
該凹所内にネジで取り付けられて中央に取付孔を持つ取付部材と、該取付部材の上で前記上枠，下枠との間に介在され、上下に貫通する貫通孔および側面にパネル溝を持つ柱と、前記上枠，下枠および柱に挟まれて、各々のパネル溝に介在されたパネルと、
前記上枠および柱の貫通孔を上から下へ通って、前記取付部材の取付孔にねじ込まれ、上端にネジを持つネジ棒と、
該ネジ棒の上端のネジにねじ込まれたナット部材とを含むことを特徴とする和風照明器具。
【請求項３】
隅角部に貫通孔を持ち下面にパネル溝を持つ上枠と、上面にパネル溝を持ち、隅角部の上面に凹所を持つ下枠と、
該凹所内にネジで取り付けられて中央に取付孔を持つ取付部材と、該取付部材の上で前記上枠，下枠との間に介在され、側面にパネル溝を持ち、上から下へ貫通し、かつ、前記パネル溝の底に開口した貫通溝を持つ柱と、
前記上枠，下枠および柱に挟まれて、各々のパネル溝に介在されたパネルと、
前記上枠および柱の貫通孔を上から下へ通って、前記取付部材の取付孔にねじ込まれ、上端にネジを持つネジ棒と、
該ネジ棒の上端のネジにねじ込まれたナット部材とを含むことを特徴とする和風照明器具。
【請求項４】
請求項１の前記下枠の隅角部の凹所内に、前記取付部材をネジで取り付け、該取付部材の上に前記柱を立て、該柱のパネル溝を通して上からパネルを挿入して前記下枠のパネル溝に嵌込み、
次いで、前記上枠のパネル溝を下側にして、前記パネルの上端に嵌込み、
次いで、前記上枠および柱の貫通孔を上から下へ通って、前記取付部材の取付孔に前記ネジ棒をねじ込み固定することを特徴とする和風照明器具の製造方法。
【請求項５】
請求項２の前記下枠の隅角部の凹所内に、前記取付部材をネジで取り付け、前記取付部材の取付孔に前記棒をねじ込み固定し、
次いで、前記ネジ棒に対し貫通孔を通して上から前記柱を立て、
該柱のパネル溝を通して上からパネルを挿入して前記下枠のパネル溝に嵌込み、
次いで、前記上枠のパネル溝を下側にして、前記パネルの上端に嵌込み、
次いで、前記ネジ棒の上端のネジに、前記ナット部材をねじ込み固定することを特徴とする和風照明器具の製造方法。
【請求項６】
請求項３の前記下枠の隅角部の凹所内に、前記取付部材をネジで取り付け、前記取付部材の取付孔に前記棒をねじ込み固定し、
次いで、前記ネジ棒に対し貫通溝を通して水平方向から前記柱を立て、
該柱のパネル溝を通して上からパネルを挿入して前記下枠のパネル溝に嵌込み、
次いで、前記上枠のパネル溝を下側にして、前記パネルの上端に嵌込み、
次いで、前記ネジ棒の上端のネジに、前記ナット部材をねじ込み固定することを特徴とする和風照明器具の製造方法。
【発明の詳細な説明】
【技術分野】
【０００１】
本発明は、和風照明器具およびその製造方法に関するものである。
【背景技術】
【０００２】
近年、生活様式の多様化、利便性などから、住宅の在り方に変化が生じ、一軒の住宅が建てられて、部屋数が５室以上あっても、和室１室程度となっており、「和風」に対する需要が低下してきている。しかしながら、「日本人」と「和風」、「木」と「和紙」など、「和風照明器具」についての需要は未だ根強いものがある。
【０００３】
「和風照明器具」は昔は「行灯」から始まり、種々のものが造られ、現在に至っている。そしてその主流は木工の職人技によって支えられてきた。そのため、「良い物」ではあるが、「数量に限度」があり、「高価格」であり、一般庶民には「手の届きにくい（高値感）」分野でもあった。
【０００４】
このようななかにあって、本願発明者は「木材、和紙、職人技」の良さを持ちながら、「職人技」だけに頼らない「ノックダウン」方式を取り入れ、低価格の「和風照明器具」を提供してきた。その方法は次のとおりである。図５において、上下枠、柱、パネルなどを別々に製作し、これらをコンベア上で組み立てて完成させる方法である。そして、組み立てに際し、上下枠の間に柱を置き、柱のパネル溝と上下枠のパネル溝との間にパネルを挟み込み、上下枠の各々に設けた止め孔より木ネジなどで止め付けるものである。
【発明の開示】
【発明が解決しようとする課題】
【０００５】
しかしながら、このように長年にわたり製造してきたが、デザインの種類が増えてくると、パーツデザインに工夫をしても全体的に同じように感じてしまうようになった。
この事について検討して分かったことは、ノックダウン組み立てのため、下枠を組付ける木ネジ頭部およびその見得処理のための飾りが常に視覚に入り、各パーツの形を変えても全体的に同じように感じることである。
【０００６】
また、照明器具は一般的に使用者の目線より上に取り付けられるので、下枠下面が特に目に入るが、現状の照明器具では木ネジ、飾りを取り付けるため、この下枠下面が比較的広くなってしまう。
【０００７】
本発明は上記課題を解決するもので、下枠下面に木ネジ、飾りを取り付けずに、職人技のような「スッキリ」した照明器具を、職人技でなく工業的生産で提供できるようにすることを目的とする。
【課題を解決するための手段】
【０００８】
本発明の第１解決手段の和風照明器具は、隅角部に貫通孔を持ち下面にパネル溝を持つ上枠と、上面にパネル溝を持ち、隅角部の上面に凹所を持つ下枠と、該凹所内にネジで取り付けられて中央に取付孔を持つ取付部材と、該取付部材の上で前記上枠，下枠との間に介在され、上下に貫通する貫通孔および側面にパネル溝を持つ柱と、前記上枠，下枠および柱に挟まれて、各々のパネル溝に介在されたパネルと、前記上枠および柱の貫通孔を上から下へ通って、前記取付部材のネジ孔にねじ込まれ、上端に頭を持つ頭付きネジ棒とを含むことである。
【０００９】
本発明の第２解決手段の和風照明器具は、隅角部に貫通孔を持ち下面にパネル溝を持つ上枠と、上面にパネル溝を持ち、隅角部の上面に凹所を持つ下枠と、該凹所内にネジで取り付けられて中央に取付孔を持つ取付部材と、該取付部材の上で前記上枠，下枠との間に介在され、上下に貫通する貫通孔および側面にパネル溝を持つ柱と、前記上枠，下枠および柱に挟まれて、各々のパネル溝に介在されたパネルと、前記上枠および柱の貫通孔を上から下へ通って、前記取付部材の取付孔にねじ込まれ、上端にネジを持つネジ棒と、該ネジ棒の上端のネジにねじ込まれたナット部材とを含むことである。
【００１０】
本発明の第３解決手段の和風照明器具は、隅角部に貫通孔を持ち下面にパネル溝を持つ上枠と、上面にパネル溝を持ち、隅角部の上面に凹所を持つ下枠と、該凹所内にネジで取り付けられて中央に取付孔を持つ取付部材と、該取付部材の上で前記上枠，下枠との間に介在され、側面にパネル溝を持ち、上から下へ貫通し、かつ、前記パネル溝の底に開口した貫通溝を持つ柱と、前記上枠，下枠および柱に挟まれて、各々のパネル溝に介在されたパネルと、前記上枠および柱の貫通孔を上から下へ通って、前記取付部材の取付孔にねじ込まれ、上端にネジを持つネジ棒と、該ネジ棒の上端のネジにねじ込まれたナット部材とを含むことである。
【００１１】
本発明の第４解決手段の和風照明器具の製造方法は、第１解決手段の和風照明器具の前記下枠の隅角部の凹所内に、前記取付部材をネジで取り付け、該取付部材の上に前記柱を立て、該柱のパネル溝を通して上からパネルを挿入して前記下枠のパネル溝に嵌込み、次いで、前記上枠のパネル溝を下側にして、前記パネルの上端に嵌込み、次いで、前記上枠および柱の貫通孔を上から下へ通って、前記取付部材の取付孔に前記ネジ棒をねじ込み固定することである。
【００１２】
本発明の第５解決手段の和風照明器具の製造方法は、第２解決手段の和風照明器具の前記下枠の隅角部の凹所内に、前記取付部材をネジで取り付け、前記取付部材の取付孔に前記棒をねじ込み固定し、次いで、前記ネジ棒に対し貫通孔を通して上から前記柱を立て、該柱のパネル溝を通して上からパネルを挿入して前記下枠のパネル溝に嵌込み、次いで、前記上枠のパネル溝を下側にして、前記パネルの上端に嵌込み、次いで、前記ネジ棒の上端のネジに、前記ナット部材をねじ込み固定することである。
【００１３】
本発明の第６解決手段の和風照明器具の製造方法は、請求項３の前記下枠の隅角部の凹所内に、前記取付部材をネジで取り付け、前記取付部材の取付孔に前記棒をねじ込み固定し、次いで、前記ネジ棒に対し貫通溝を通して水平方向から前記柱を立て、該柱のパネル溝を通して上からパネルを挿入して前記下枠のパネル溝に嵌込み、次いで、前記上枠のパネル溝を下側にして、前記パネルの上端に嵌込み、次いで、前記ネジ棒の上端のネジに、前記ナット部材をねじ込み固定することである。
【発明の効果】
【００１４】
本発明による照明器具では、下枠下面に木ネジ、飾りを取り付けないため、職人技のような「スッキリ」したものとなった。そのため、下枠下面が平面となり、凹凸、段加工などができることとなり、多様なデザインが施せる照明器具の製造が可能となった。
【００１５】
第５解決手段の和風照明器具の製造方法では、下枠の隅角部の凹所内に取付部材を取り付け、その次に前記取付部材の取付孔にネジ棒をねじ込み固定するので、ネジ棒のねじ込み作業が容易で、迅速、かつ、確実に実施できる。しかも、次いで前記ネジ棒に対し貫通孔を通して上から前記柱を立てるので、このネジ棒が案内となり、柱の立設、パネルや上枠の嵌込み作業が迅速、かつ、確実に実施できる。
【００１６】
第６解決手段の和風照明器具の製造方法では、下枠の隅角部の凹所内に取付部材を取り付け、その次に前記取付部材の取付孔にネジ棒をねじ込み固定するので、ネジ棒のねじ込み作業が容易で、迅速、かつ、確実に実施できる。しかも、次いで前記ネジ棒に対し貫通溝を通して水平方向から前記柱を立てるので、このネジ棒が案内となり、柱の立設が更に速くでき、パネルや上枠の嵌込み作業が迅速、かつ、確実に実施できる。
【発明を実施するための最良の形態】
【００１７】
以下に、本発明の一実施例を図面に基づき詳細に説明する。
図１，２，３において、本発明の和風照明器具は次のようなものである。即ち、下面にパネル溝１ａを持つ上枠１と、上面にパネル溝２ａを持ち、隅角部の上面に円形凹所２ｂを持つ下枠２とを有し、該凹所内に円板取付部材４が取付孔４ｂを通る頭付きネジ５で取り付けられている。
【００１８】
該取付部材の上で前記上枠１，下枠２との間には、側面にパネル溝３ａを持つ柱３が介在され、前記上枠，下枠および柱に挟まれて、各々のパネル溝にパネル６が介在されている。前記上枠および柱の貫通孔を上から下へ通って、前記取付部材４の中心部のネジ孔４ａには、上端に頭を持つ頭付きネジ棒７がねじ込まれ固定される。
【００１９】
次に前記和風照明器具の製造方法は次のとおりである。即ち、前記前記下枠２の隅角部の凹所２ｂ内に、取付部材４を頭付きネジ５で取り付け、該取付部材の上に前記柱３を立て、該柱のパネル溝３ａを通して上からパネル６を挿入して前記下枠２のパネル溝２ａに嵌込む。
【００２０】
次いで、前記上枠１のパネル溝１ａを下側にして、前記パネル６の上端に嵌込み、次いで、前記上枠１および柱３の貫通孔１ｂ，３ｂを上から下へ通って、前記取付部材４のネジ孔４ｂにネジ棒７をねじ込み固定するのである。
【００２１】
図３，４において、他の実施例として、ネジ棒８の上端のネジにナット部材９をねじ込むものである。即ち、下面にパネル溝１ａを持つ上枠１と、上面にパネル溝２ａを持ち、隅角部の上面に凹所２ｂを持つ下枠２とを有し、該凹所内に頭付きネジ５で取付部材４が取り付けられている。該取付部材の上で前記上枠１，下枠２との間には、側面にパネル溝３ａを持つ柱３が介在され、前記上枠，下枠および柱に挟まれて、各々のパネル溝にパネル６が介在されている。
【００２２】
前記上枠１および柱３の貫通孔１ｂ，３ｂを上から下へ通って、前記取付部材４のネジ孔４ａには、上端にネジを持つネジ棒８がねじ込まれ固定されている。そして、該ネジ棒の上端のネジにナット部材９ねじ込まれている。
【００２３】
次に前記和風照明器具の製造方法は次のとおりである。即ち、前記下枠２の隅角部の凹所２ｂ内に、取付部材４を頭付きネジ５で取り付け、前記取付部材４のネジ孔４ａにネジ棒８をねじ込み固定し、次いで、前記ネジ棒８を貫通孔３ｂに通して上から前記柱３を立てる。
【００２４】
該柱３のパネル溝を通して上からパネル６を挿入して前記下枠２のパネル溝に嵌込み、次いで、前記上枠１のパネル溝を下側にして、前記パネル６の上端に嵌込み、次いで、前記ネジ棒８の上端のネジに、前記ナット部材９をねじ込み固定するのである。
【００２５】
図４において、更に他の実施例として、前記柱３の貫通孔に代えて、貫通溝３ｃを上から下へ貫通させ、かつ、パネル溝３ａの底に開口させたものである。この場合、柱３の立設作業性が更に向上する。即ち、前記下枠２の隅角部の凹所２ｂ内に、取付部材４を頭付きネジ５で取り付け、前記取付部材４のネジ孔４ａにネジ棒８をねじ込み固定し立設する。次いで、前記ネジ棒８に対して、前記柱３を貫通溝３ｃを通して水平方向から立てる。このように、ネジ棒８の上から下ではなく、水平方向に貫通させて柱３を立てるので、この作業は簡単・迅速になされる。その後の作業は前記と同様である。
【００２６】
本発明は前記した実施例や実施態様に限定されず、特許請求の範囲および範囲を逸脱せずに種々の変形を含む。
【産業上の利用可能性】
【００２７】
本発明は和風照明器具とその製造方法に利用できる。
【図面の簡単な説明】
【００２８】
【図１】本発明の一実施例に係る和風照明器具の斜視図である。
【図２】図１の要部の分解斜視図である。
【図３】図２の要部の分解斜視図である。
【図４】本発明の他の実施例の要部分解斜視図である。
【図５】従来の和風照明器具の要部分解斜視図である。
【符号の説明】
【００２９】
１  上枠
１ａ  パネル溝
１ｂ  貫通孔
２  下枠
２ａ  パネル溝
２ｂ  凹所
３  柱
３ａ  パネル溝
３ｂ  貫通孔
４  取付部材
４ａ  ネジ孔
４ｂ  取付孔
５  頭付ネジ
６  パネル
７  頭付ネジ棒
８  ネジ棒
９  ナット部材
【図１】
2008258074.tif 000003
【図２】
2008258074.tif 000004
【図３】
2008258074.tif 000005
【図４】
2008258074.tif 000006
【図５】
2008258074.tif 000007